(57)【要約】【課題】  受け取り側で同報の宛先名を見ることができないようにすることが可能な画像処理装置を提供する。【解決手段】  読み取った原稿から画像データファイルを作製し、操作部１９により設定されたメールアドレスの宛先に、前記画像データファイルを添付したメール文書を、外部Ｉ／Ｆ１８を介して送信する機能を有する画像処理装置において、操作部１９によりメールアドレスが複数設定された場合に、メール送信時に宛先ごと個別にメールサーバーにメール文書を送信する機能を有する制御部１１を備えるようにした。【選択図】  図１
2007005939.tif 000002
【特許請求の範囲】
【請求項１】
読み取った原稿から画像データファイルを作製し、操作部により設定されたメールアドレスの宛先に、前記画像データファイルを添付したメール文書を、外部インターフェースを介して送信する機能を有する画像処理装置において、前記操作部によりメールアドレスが複数設定された場合に、メール送信時に宛先ごと個別にメールサーバーにメール文書を送信する機能を有する制御部を備えたことを特徴とする画像処理装置。
【請求項２】
前記操作部は、メール送信時に宛先ごと個別に送信するか一括送信するか、操作画面で切り替える機能を有することを特徴とする請求項１記載の画像処理装置。
【請求項３】
前記制御部は、選択された宛先がグループ宛先の場合に、メール送信時にグループ宛先を構成する個々の宛先ごと個別にメールサーバーに送信する機能を有することを特徴とする請求項１記載の画像処理装置。
【請求項４】
前記操作部は、選択された宛先がグループ宛先の場合に、メール送信時にグループ宛先を構成する個々の宛先ごと個別にメールサーバーに送信するかグループ宛先はまとめて１回で送信するか、操作画面で切り替える機能を有することを特徴とする請求項３記載の画像処理装置。
【請求項５】
前記制御部は、宛先を１件１件個別に送信した場合には、送信結果履歴をメールアドレス個別にメモリに記録する機能を有することを特徴とする請求項１記載の画像処理装置。
【発明の詳細な説明】
【技術分野】
【０００１】
本発明は、複写機、プリンタ、複合機などの画像処理装置に関し、特にメール送信技術に特徴のある画像処理装置に関する。
【背景技術】
【０００２】
従来から、読み取った原稿から画像データファイルを作り、操作部で設定したメールアドレスの宛先に、その画像データファイルを添付したメール文書を、外部インターフェースを介して送信する機能を有する画像処理装置が提案されている（例えば、特許文献１参照）。
【特許文献１】特開２００５−００４６２５公報
【発明の開示】
【発明が解決しようとする課題】
【０００３】
しかしながら、従来技術には以下の欠点がある。
（１）宛先を複数選択してメールを送信すると、後述する図４に示すように受け取り側では他の宛先名も見えてしまう。
（２）メール文書の詳細を確認すると他の宛先のメールアドレス情報も見えてしまい、個人情報の取り扱いとして適切ではない。
（３）同報の他のメールアドレス情報を見せないようにするには、送信操作を宛先数分繰り返すことが必要で、手間がかかる。
そこで、本発明はこのような点を鑑みてなされたものであり、受け取り側（クライアントコンピュータ側）で同報の宛先名を見ることができないようにすることが可能な画像処理装置を提供することを目的とする。
【課題を解決するための手段】
【０００４】
上記目的を達成するために、請求項１記載の発明は、読み取った原稿から画像データファイルを作製し、操作部により設定されたメールアドレスの宛先に、前記画像データファイルを添付したメール文書を、外部インターフェースを介して送信する機能を有する画像処理装置において、前記操作部によりメールアドレスが複数設定された場合に、メール送信時に宛先ごと個別にメールサーバーにメール文書を送信する機能を有する制御部を備えたことを特徴とする。
請求項２記載の発明は、前記操作部は、メール送信時に宛先ごと個別に送信するか一括送信するか、操作画面で切り替える機能を有する請求項１記載の画像処理装置を特徴とする。
請求項３記載の発明は、前記制御部は、選択された宛先がグループ宛先の場合に、メール送信時にグループ宛先を構成する個々の宛先ごと個別にメールサーバーに送信する機能を有する請求項１記載の画像処理装置を特徴とする。
請求項４記載の発明は、前記操作部は、選択された宛先がグループ宛先の場合に、メール送信時にグループ宛先を構成する個々の宛先ごと個別にメールサーバーに送信するかグループ宛先はまとめて１回で送信するか、操作画面で切り替える機能を有する請求項３記載の画像処理装置を特徴とする。
請求項５記載の発明は、前記制御部は、宛先を１件１件個別に送信した場合には、送信結果履歴をメールアドレス個別にメモリに記録する機能を有する請求項１記載の画像処理装置を特徴とする。
【発明の効果】
【０００５】
本発明によれば、宛先を複数選択してメールを送信しても、メール文書は宛先個別に送信するので、受け取り側で同報の宛先名を見えなくすることができる。
また、宛先を複数選択してメールを送信してメール文書の詳細を確認しても他の宛先のメールアドレス情報が見えず、個人情報の取り扱いとして適切である。
また、同報の他のメールアドレス情報を見せないようにするには、１回の送信操作で良いので使い勝手が良い。
【発明を実施するための最良の形態】
【０００６】
以下、図面を参照して本発明の実施形態を詳細に説明する。
図１は本発明の実施形態に係る画像処理装置のシステムブロック図である。本画像処理装置１は、本装置全体を制御する制御部１１、制御のためのプログラムや制御に必要な種々のデータを記憶しているメモリ１２、本装置の動作状態及び操作状態の検出を行う状態検出部３、原稿読取動作等の機器動作の制御を行う動作制御部１４、画像をスキャンニングして電気信号に変換する画像入力部１５、読み取った画情報のデジタル処理を行う画像処理部１６、画像データの圧縮処理を行う画像圧縮部１７、読取条件の設定及び読取データの転送をするコンピュータＡとインターフェースを行う外部Ｉ／Ｆ１８、オペレータによる操作を入力するとともに情報をオペレータに伝える操作部１９、から構成されており、これら各部はバス１０により接続されている。
図２は画像処理装置のネツトワーク構成図である。画像処理装置（複合機）１は、メールサーバー２、クライアントコンピュータＡ、Ｂ、Ｃ、Ｄと接続されている。
図３は操作部の操作画面を示す図（その１）、図４はクライアントコンピュータの表示画面を示す図、図５（１）（２）はメールデータを示す図、図６は操作部の操作画面を示す図（その２）である。
【０００７】
［実施例１］
本実施形態の画像処理装置１には、原稿を読み取り、その画像データファイルを作り、選択または直接入力したメールアドレスの宛先に、その画像データファイルを添付したメール文書（メールデータ）を送信する機能が搭載されている。宛先のメールアドレスは複数設定することが可能であるが（図３の例では、クライアントコンピュータＡ、Ｂ、Ｃ、Ｄを設定している）、メール送信時に宛先１件１件個別に、図５に示すようなメールデータをメールサーバー２に送信する。
［実施例２］
本実施形態の画像処理装置１は、メール送信時に宛先１件１件個別に送信するか、あるいは同時に送信するかを、図６に示すように操作画面で切り替えできる機能を有する。
［実施例３］
本実施形態の画像処理装置１は、選択された宛先がグループ宛先の場合に、メール送信時にグループ宛先を構成する個々の宛先１件１件に個別にメールサーバーに送信する機能を有する。
［実施例４］
本実施形態の画像処理装置１は、選択された宛先がグループ宛先の場合に、メール送信時にグループ宛先を構成する個々の宛先１件１件に個別にメールサーバーに送信するか、またはグループ宛先はまとめて１回で送信するかを選択切り替えができる機能を有する。
［実施例５］
本実施形態の画像処理装置１は、宛先を１件１件個別に送信した場合には、送信結果履歴を１件１件個別に記録する機能を有する。
【図面の簡単な説明】
【０００８】
【図１】本発明の実施形態に係る画像処理装置のシステムブロック図である。
【図２】画像処理装置のネツトワーク構成図である。
【図３】操作部の操作画面を示す図（その１）である。
【図４】クライアントコンピュータの表示画面を示す図である。
【図５】メールデータを示す図である。
【図６】操作部の操作画面を示す図（その２）である。
【符号の説明】
【０００９】
１１  制御部、１２  メモリ、１８  外部Ｉ／Ｆ、１９  操作部
【図１】
2007005939.tif 000003
【図２】
2007005939.tif 000004
【図３】
2007005939.tif 000005
【図４】
2007005939.tif 000006
【図５】
2007005939.tif 000007
【図６】
2007005939.tif 000008